(57)【要約】【課題】ライブビュー画像と撮影画像とを容易に区別することができて使い勝手のよいライブビュー表示機能を有するデジタルカメラを提供することである。【解決手段】このカメラは、撮影レンズ１１を通過した被写体光束から被写体の画像が撮影用表示素子６７で取得される。そして、その撮像光路に対して進退可能な第１反射ミラー５１が設けられて、上記撮像光路内に於いては上記被写体光束をファインダ光学系５０に導く。また、第１反射ミラー５１によって反射された被写体光束から、フォーカシングスクリーン５６上に被写体像が形成される。このフォーカシングスクリーン５６上に形成された被写体像を含むファインダ像データは、表示用撮像素子６１に取得される。Ｂμｃｏｍ８０は、第１反射ミラー５１の動作に応じて、撮影用表示素子６７で取得された画像と表示用撮像素子６１で取得された画像を切り換えて液晶モニタ３６に表示する。【選択図】      図３
2006323273.tif 000002
【特許請求の範囲】
【請求項１】
撮影レンズを通過した被写体光束から被写体像データを取得する第１の撮像手段と、
上記第１の撮像手段の撮像光路に対して進退可能であり、上記撮像光路内に於いては上記被写体光束をファインダ光学系に導く可動ミラーと、
上記ファインダ光学系の一部であって、上記可動ミラーによって反射された上記被写体光束から被写体像を形成するスクリーンマットと、
上記スクリーンマット上に形成された被写体像を含むファインダ像データを取得する第２の撮像手段と、
上記第１若しくは第２の撮像手段で取得された像データを表示可能な表示手段と、
上記可動ミラーの動作に応じて、上記表示手段の表示内容を切り換える制御手段と、
を具備することを特徴とするデジタルカメラ。
【請求項２】
上記第２の撮像手段は、上記スクリーンマットに形成された被写体像と共に、上記スクリーンマット上に設けられた測距枠、若しくは上記ファインダ光学系内に設けられた表示情報を撮像することを特徴とする請求項１に記載のデジタルカメラ。
【請求項３】
上記可動ミラーが上記撮像光路内にある状態では、上記第２の撮像手段は、撮像動作を繰り返し実行し、それと共に上記表示手段は、上記第２の撮像手段で取得された像データを随時表示することを特徴とする請求項２に記載のデジタルカメラ。
【請求項４】
上記表示手段は、上記可動ミラーの上記撮像光路からの退避開始に応答して表示画像の更新を中止することを特徴とする請求項３に記載のデジタルカメラ。
【請求項５】
上記表示手段は、上記可動ミラーが上記撮像光路から退避している間、表示画像を固定することを特徴とする請求項３に記載のデジタルカメラ。
【請求項６】
上記表示手段は、上記可動ミラーの上記撮像光路からの退避開始に応答して表示画像を固定し、上記第１の撮像手段の撮像動作終了後に上記第１の撮像手段で取得された被写体像データを表示することを特徴とする請求項３に記載のデジタルカメラ。
【請求項７】
被写体を観察するための複数のミラーで構成されるファインダ光学系と、撮影レンズを介して上記被写体からの光束を電気信号に変換する第１の撮像手段と、上記第１の撮像手段の撮像光路に対して進退可能であり、上記撮像光路内に於いては上記被写体からの光束を上記ファインダ光学系に導く可動ミラーと、上記第１の撮像手段で取得された画像データを表示する表示手段と、を備えるデジタルカメラに於いて、
上記ファインダ光学系に導かれる被写体からの光束を電気信号に変換する上記第１の撮像手段とは異なる第２の撮像手段と、
上記可動ミラーの動作に応じて、上記第１の撮像手段で取得された画像データと上記第２の撮像手段で取得された画像データを切り換えて上記表示手段に表示させる制御手段と、
を具備することを特徴とするデジタルカメラ。
【請求項８】
上記ファインダ光学系の一部であって、上記可動ミラーによって反射された上記被写体光束から被写体像を形成するスクリーンマットを更に具備し、
上記第２の撮像手段は、上記スクリーンマットに形成された被写体像と共に、上記スクリーンマット上に設けられた測距枠、若しくは上記ファインダ光学系内に設けられた表示情報を撮像することを特徴とする請求項７に記載のデジタルカメラ。
【請求項９】
上記可動ミラーが上記撮像光路内にある状態では、上記第２の撮像手段は、撮像動作を繰り返し実行し、それと共に上記表示手段は、上記第２の撮像手段で取得された像データを随時表示することを特徴とする請求項８に記載のデジタルカメラ。
【請求項１０】
上記表示手段は、上記可動ミラーの上記撮像光路からの退避開始に応答して表示画像の更新を中止することを特徴とする請求項９に記載のデジタルカメラ。
【請求項１１】
上記表示手段は、上記可動ミラーが上記撮像光路から退避している間、表示画像を固定することを特徴とする請求項９に記載のデジタルカメラ。
【請求項１２】
上記表示手段は、上記可動ミラーの上記撮像光路からの退避開始に応答して表示画像を固定し、上記第１の撮像手段の撮像動作終了後に上記第１の撮像手段で取得された被写体像データを表示することを特徴とする請求項９に記載のデジタルカメラ。
【発明の詳細な説明】
【技術分野】
【０００１】
本発明はデジタルカメラに関し、より詳細には観察中の画像と撮影中の画像とを表示画面に表示可能なデジタルカメラの改良に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するデジタルカメラが一般的に知られている。
【０００３】
こうした被写体像を表示するカメラとしては、可動ミラーをハーフミラーで構成してライブビュー表示を可能にしたカメラが知られている（例えば、特許文献１参照）。  
また、ファインダ光学系内にハーフミラーを配置し、ライブビュー表示用の撮像素子に被写体光束を導くカメラが知られている（例えば、特許文献２参照）。
【特許文献１】特開２００１−１８６４０１号公報
【特許文献２】特開２０００−１６５７３０号公報
【発明の開示】
【発明が解決しようとする課題】
【０００４】
上述した特許文献１及び特許文献２に記載のカメラでは、通常の観察時にライブビュー画像を表示し、撮影時に撮影画像を表示するようにしている。こうしたカメラに於いて、連続的に撮影を行う場合は、ライブビュー画像と撮影画像とが頻繁に切り替わることになる。すると、ユーザが撮影した画像を確認する際に、実際に撮影した画像であるのかライブビュー画像であるのか、その判別がし難いものとなっていた。
【０００５】
したがって、本発明の目的は、ライブビュー画像と撮影画像とを容易に区別することができて使い勝手のよいライブビュー表示機能を有するデジタルカメラを提供することである。
【課題を解決するための手段】
【０００６】
すなわち請求項１に記載の発明は、撮影レンズを通過した被写体光束から被写体像データを取得する第１の撮像手段と、上記第１の撮像手段の撮像光路に対して進退可能であり、上記撮像光路内に於いては上記被写体光束をファインダ光学系に導く可動ミラーと、上記ファインダ光学系の一部であって、上記可動ミラーによって反射された上記被写体光束から被写体像を形成するスクリーンマットと、上記スクリーンマット上に形成された被写体像を含むファインダ像データを取得する第２の撮像手段と、上記第１若しくは第２の撮像手段で取得された像データを表示可能な表示手段と、上記可動ミラーの動作に応じて、上記表示手段の表示内容を切り換える制御手段と、を具備することを特徴とする。
【０００７】
請求項２に記載の発明は、請求項１に記載の発明に於いて、上記第２の撮像手段は、上記スクリーンマットに形成された被写体像と共に、上記スクリーンマット上に設けられた測距枠、若しくは上記ファインダ光学系内に設けられた表示情報を撮像することを特徴とする。
【０００８】
請求項３に記載の発明は、請求項２に記載の発明に於いて、上記可動ミラーが上記撮像光路内にある状態では、上記第２の撮像手段は、撮像動作を繰り返し実行し、それと共に上記表示手段は、上記第２の撮像手段で取得された像データを随時表示することを特徴とする。
【０００９】
請求項４に記載の発明は、請求項３に記載の発明に於いて、上記表示手段は、上記可動ミラーの上記撮像光路からの退避開始に応答して表示画像の更新を中止することを特徴とする。
【００１０】
請求項５に記載の発明は、請求項３に記載の発明に於いて、上記表示手段は、上記可動ミラーが上記撮像光路から退避している間、表示画像を固定することを特徴とする。
【００１１】
請求項６に記載の発明は、請求項３に記載の発明に於いて、上記表示手段は、上記可動ミラーの上記撮像光路からの退避開始に応答して表示画像を固定し、上記第１の撮像手段の撮像動作終了後に上記第１の撮像手段で取得された被写体像データを表示することを特徴とする。
【００１２】
請求項７に記載の発明は、被写体を観察するための複数のミラーで構成されるファインダ光学系と、撮影レンズを介して上記被写体からの光束を電気信号に変換する第１の撮像手段と、上記第１の撮像手段の撮像光路に対して進退可能であり、上記撮像光路内に於いては上記被写体からの光束を上記ファインダ光学系に導く可動ミラーと、上記第１の撮像手段で取得された画像データを表示する表示手段と、を備えるデジタルカメラに於いて、上記ファインダ光学系に導かれる被写体からの光束を電気信号に変換する上記第１の撮像手段とは異なる第２の撮像手段と、上記可動ミラーの動作に応じて、上記第１の撮像手段で取得された画像データと上記第２の撮像手段で取得された画像データを切り換えて上記表示手段に表示させる制御手段と、を具備することを特徴とする。
【００１３】
請求項８に記載の発明は、請求項７に記載の発明に於いて、上記ファインダ光学系の一部であって、上記可動ミラーによって反射された上記被写体光束から被写体像を形成するスクリーンマットを更に具備し、上記第２の撮像手段は、上記スクリーンマットに形成された被写体像と共に、上記スクリーンマット上に設けられた測距枠、若しくは上記ファインダ光学系内に設けられた表示情報を撮像することを特徴とする。
【００１４】
請求項９に記載の発明は、請求項８に記載の発明に於いて、上記可動ミラーが上記撮像光路内にある状態では、上記第２の撮像手段は、撮像動作を繰り返し実行し、それと共に上記表示手段は、上記第２の撮像手段で取得された像データを随時表示することを特徴とする。
【００１５】
請求項１０に記載の発明は、請求項９に記載の発明に於いて、上記表示手段は、上記可動ミラーの上記撮像光路からの退避開始に応答して表示画像の更新を中止することを特徴とする。
【００１６】
請求項１１に記載の発明は、請求項９に記載の発明に於いて、上記表示手段は、上記可動ミラーが上記撮像光路から退避している間、表示画像を固定することを特徴とする。
【００１７】
請求項１２に記載の発明は、請求項９に記載の発明に於いて、上記表示手段は、上記可動ミラーの上記撮像光路からの退避開始に応答して表示画像を固定し、上記第１の撮像手段の撮像動作終了後に上記第１の撮像手段で取得された被写体像データを表示することを特徴とする。
【発明の効果】
【００１８】
本発明によれば、ライブビュー画像と撮影画像とを容易に区別することができて使い勝手のよいライブビュー表示機能を有するデジタルカメラを提供することができる。
【発明を実施するための最良の形態】
【００１９】
以下、図面を参照して、本発明の実施形態を説明する。
【００２０】
（第１の実施形態）
図１は、本発明の第１の実施形態を示すもので、本発明の撮像装置が適用された一眼レフレックスタイプのデジタルカメラの構成を示す外観斜視図である。
【００２１】
図１に於いて、この一眼レフレックスタイプのデジタルカメラ（以下、カメラと略記する）１は、交換レンズとしてのレンズ鏡筒１０と、カメラ本体３０から主に構成されており、該カメラ本体３０の前面に対して、所望のレンズ鏡筒１０が着脱自在に設定されている。  
カメラ本体３０の上面には、レリーズ釦３１と、モードダイヤル３２と、パワースイッチレバー３３と、コントロールダイヤル３４等が設けられている。
【００２２】
レリーズ釦３１は、撮影準備動作及び露光動作を実行させるための釦である。このレリーズ釦３１は、第１レリーズスイッチと第２レリーズスイッチの２段式のスイッチで構成されており、レリーズ釦３１が半押し操作されることによって、第１レリーズスイッチがオンされて測光処理や測距処理などの撮影準備動作が実行される。また、レリーズ釦３１が全押し操作されることによって、第２レリーズスイッチがオンされて露光動作が実行される。
【００２３】
モードダイヤル３２は、撮影時の撮影モードを設定するための操作部材である。このモードダイヤル３２が所定方向に回転操作されることによって、撮影時の撮影モードが設定される。本実施形態に於いては、後述する液晶モニタに表示される画像を、ファインダビューとライブビューとで切り換える機能も有している。パワースイッチレバー３３は、当該カメラ１の電源のオン／オフをするための操作部材である。このパワースイッチレバー３３が回動操作されることにより、当該カメラ１のメイン電源のオン／オフが切り換えられる。
【００２４】
コントロールダイヤル３４は、撮影情報の設定を行うための部材である。このコントロールダイヤル３４が操作されることにより、撮影時に種々の設定が行われる。
【００２５】
ボディユニット３０の背面部には、撮影画像やメニュー等を表示するための液晶モニタ３６と、再生釦３７と、メニュー釦３８と、十字キー４０と、ＯＫ釦４１と、接眼光学系のファインダ４３等が配置されている。
【００２６】
上記再生釦３７は、カメラ１の動作モードを、後述するＦｌａｓｈＲＯＭ８４や記録メディア８５に記録されたＪＰＥＧファイルから画像を再生できる再生モードに切り換えるための釦である。メニュー釦３８は、液晶モニタ３６にメニュー画面を表示させるための釦である。このメニュー画面は、複数の階層構造から成るメニュー項目によって構成されている。ユーザは、所望のメニュー項目を十字キー４０で選択することができ、ＯＫ釦４１で選択した項目を決定することができる。
【００２７】
図２は、本発明の第１の実施形態に於けるカメラのファインダ光学系の構成を示す斜視図である。
【００２８】
ファインダ光学系５０は、レンズ鏡筒内の撮影レンズ１１を通過した被写体からの光束を、上記ファインダ４３を構成する接眼レンズ５７へと導くための複数のミラー、すなわち第１反射ミラー５１、第２反射ミラー５２、第３反射ミラー５３、第４反射ミラー５４と、フォーカシングスクリーン（スクリーンマット）５６と、接眼レンズ５７とを有して構成される。
【００２９】
上記第１反射ミラー５１は軸５１ａを中心に図示矢印Ａ方向に回動可能に構成されるもので、その一部が後述するＡＦセンサユニット７１のためにハーフミラーで構成されている。第１反射ミラー５１は、被写体の観察時は図示の如く、撮影レンズ１１から入射された光束を、撮影レンズ１０の光軸に対し略９０°の角度である第２反射ミラー５２の方向、すなわちカメラ本体３０のレンズ鏡筒１０側より見て右方向に反射する。そして、撮像時は、撮影光路より退避されて、被写体からの光束が、第１反射ミラーの後方に配置される撮像素子（図示せず）に導かれるように動作する。
【００３０】
上記第１反射ミラー５１の反射面で反射された光束は、フォーカシングスクリーン５６を介して第２反射ミラー７２に入射する。この第２反射ミラー５２は、上記第１反射ミラー５１からの反射光軸上であって、その反射面が上記第１反射ミラーの反射光軸に対し、所定の角度だけ傾いて配置されている。第２反射ミラー５２に入射された上記第１反射ミラー５１からの反射光束は、該第１反射ミラー５１からの反射光軸に対し略９０°の角度、すなわちカメラ本体３０の上方に向けて反射される。
【００３１】
上記第２反射ミラー５２の反射面で反射された光束は、該第２反射ミラー５２の反射面の反射光軸上であって、その反射面が第２の反射面の反射光軸に対し所定の角度だけ傾いて配置される第３反射ミラー５３に入射される。第３反射ミラー５３に入射された第２反射ミラー５２からの反射光束は、第３反射ミラー５３の反射面にて、上記第２反射ミラー５２の反射面からの反射光軸に対し略９０°の角度であって、上記第１反射ミラー５１の反射面による反射方向と相反する方向に反射される。つまり、第２反射ミラー５２の反射面からの反射光束は、第３反射ミラー５３の反射面にて、カメラ本体３０の左方向に向けて反射される。換言すれば、第１反射ミラー５１の反射面にて反射された光束は、第２、第３反射ミラー５２、５３によって折り返すように導かれ、第３反射ミラー５３の反射面の反射光軸は、上記第１反射ミラー５１の反射面の反射光軸と略平行となって第４反射ミラー５４に向かう。
【００３２】
上記第３反射ミラー５３の反射面で反射された光束は、該第３反射ミラー５３の反射面の反射光軸上であって、その反射面が上記第３反射ミラー５３の反射面の反射光軸に対し所定の角度だけ傾いて配置される第４反射ミラー５４に入射される。そして、第４反射ミラー５４に入射された上記第３反射ミラー５３からの反射光束は、第４反射ミラー５４の反射面にて、上記第３反射ミラー５３からの反射光軸に対し略９０°の角度に反射される。つまり、第３反射ミラー５３の反射面からの反射光束は、第４反射ミラーの反射面の反射光軸上に配置された接眼レンズ５７に入射される。
【００３３】
上記フォーカシングスクリーン５６は、上述したファインダ光学系５０に入射された光束を光学像として結像させるために、該光束を拡散させる拡散面を有するもので、後述する撮影用撮像素子６７の撮像面上と光学的に等価な位置に配置されている。
【００３４】
また、上記第２反射ミラー５２と第４反射ミラー５４は、ハーフミラーで構成されている。第２反射ミラー５２の反射面の裏面側には、被写体の明るさを測定する測光センサ６３と、合焦表示用ＬＥＤ６４が配置されている。この合焦表示用ＬＥＤ６４は、画面の何処に合焦点があるかをスーパーインポーズ表示するためのものである。一方、第４反射ミラー５４の反射面の裏面側には、結像レンズ６０及び表示用撮像素子６１が配設されている。この表示用撮像素子６１は、フォーカシングスクリーン５６上の像を、結像レンズ６０を介して結像するためのものである。したがって、表示用撮像素子６１に結像された像は反転しているものの、撮影者の目５８が見ている像と同じものとなる。
【００３５】
このように、撮影レンズ１１からの被写体光束は、上述した第１乃至第４反射ミラー５１〜５４によって、その像が正立正像となるように反転されて接眼レンズ５７に導かれる。これにより、接眼レンズ５７（ファインダ４３）を通して、撮影者の眼５８でフォーカシングスクリーン５６上に結像した被写体像が観察可能となる。
【００３６】
尚、本実施形態では、第１反射ミラー５１、第２反射ミラー５２、第３反射ミラー５３及び第４反射ミラー５４は、入射光束に対して略９０°の角度で反射するように配置しているが、これに限られるものではない。
【００３７】
図３は、本発明の第１の実施形態に係るカメラのシステム構成を示すブロック図である。
【００３８】
図３に於いて、上記レンズ鏡筒１０は、上記カメラ本体３０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００３９】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ２０を介して、後述するボディ制御用マイクロコンピュータ８０と電気的に接続がなされ、該ボディ制御用マイクロコンピュータ８０の指令に従って制御される。
【００４０】
一方、カメラ本体３０は、以下のように構成されている。
【００４１】
レンズ鏡筒１０内の撮影レンズ１１、絞り１２を介して入射される図示されない被写体からの光束は、可動ミラーである第１反射ミラー５１で反射され、フォーカシングスクリーン５６、更に上記第１反射ミラー５１と共にファインダ光学系５０を構成する第２乃至第４反射ミラー５２〜５４（図２参照）等を介して、接眼レンズ５７に至る。また、第１反射ミラー５１のハーフミラーの部分を透過した被写体光束の一部は、第１反射ミラー５１とは独立して作動するサブミラー７０で反射されて、自動測距を行うためのＡＦセンサユニット７１に導かれる。尚、図３に於いては、第１反射ミラー５１は別に示されているが、第２乃至第４の反射ミラー等と共にファィンダ光学系５０を構成しているものである。
【００４２】
光軸上で上記第１反射ミラー５１の後方には、フォーカルプレーン式のシャッタ６６と、光学系を通過した被写体像を光電変換するための撮像光学系の光電変換素子であり、ＣＣＤ等で構成される撮影用撮像素子６７が設けられている。つまり、第１反射ミラー５１が撮影光路より退避した場合、撮影レンズ１１及び絞り１２を通った光束は、撮影用撮像素子６７の撮像面上に結像される。
【００４３】
また、上述したように、ファインダ光学系５０には、第２反射ミラー５２の近傍に測光センサ６３及び合焦表示用ＬＥＤ６４が、第４反射ミラー５４の近傍に表示用撮像素子６１が配設されている。この表示用撮像素子６１と上記撮影用撮像素子６７は、インターフェイス回路８１を介して、画像処理を行うための画像処理コントローラ８２に接続されている。そして、この画像処理コントローラ８２には、上述した液晶モニタ３６と、記憶領域として設けられたＳＤＲＡＭ８３、ＦｌａｓｈＭｅｍｏｒｙ８４及び記録メディア８５等が接続されている。これらは、電子撮像機能と共に電子記録表示機能を提供できるように構成されている。
【００４４】
上記記録メディア８５は、図示されないカメラのインターフェイスを介してカメラ本体３０に対し脱着可能な各種のメモリカードや外付けのハードディスクドライブ（ＨＤＤ）等の外部記録媒体である。
【００４５】
上記画像処理コントローラ８２は、測光回路８７を介した測光センサ６３と、ＡＦセンサ駆動回路７２と、ミラー駆動機構７３と、シャッタチャージ機構７５と、シャッタ制御回路７６と、不揮発性メモリ（ＥＥＰＲＯＭ）８８と共に、このカメラ本体３０内の各部を制御するためのボディ制御用マイクロコンピュータ（以下、Ｂμｃｏｍと略記する）８０に接続されている。
【００４６】
上記Ｂμｃｏｍ８０には、更に、当該カメラの動作状態を表示出力によって撮影者へ告知するための動作表示用ＬＣＤ９０と、カメラ操作スイッチ（ＳＷ）９１と、電源回路９２を介して電池９３とが接続されている。
【００４７】
尚、上記Ｂμｃｏｍ８０とＬμｃｏｍ１５とは、レンズ鏡筒１０の装着時に於いて、通信コネクタ２０を介して通信可能に電気的接続がなされる。そして、デジタルカメラとしてＬμｃｏｍ１５がＢμｃｏｍ８０に従属的に協働しながら稼動するようになっている。
【００４８】
上記ＡＦセンサ駆動回路７２は上記ＡＦセンサユニット７１を駆動制御するための回路であり、ミラー駆動機構７３は第１反射ミラー５１を駆動制御する機構である。また、シャッタチャージ機構７５は、上記シャッタ６６を構成する図示されない先幕と後幕を駆動するばねをチャージするものである。シャッタ制御回路７６は、上記シャッタ６６の先幕と後幕の動きを制御すると共に、Ｂμｃｏｍ８０との間でシャッタの開閉動作を制御する信号とストロボと同調する信号の授受を行う。また、上記測光回路８７は、測光センサ６３の電気信号に基づいて測光処理する回路である。
【００４９】
不揮発性メモリ８８は、上述したＳＤＲＡＭ８３、ＦｌａｓｈＭｅｍｏｒｙ８４、記録メディア８５以外の記憶領域として、カメラ制御に必要な所定の制御パラメータを記憶する記憶手段であり、Ｂμｃｏｍ８０からアクセス可能に設けられている。
【００５０】
動作表示用ＬＣＤ９０は、当該カメラの動作状態を表示出力によってユーザへ告知するためのものである。上記カメラ操作スイッチ９１は切り換え手段として、例えば撮影動作の実行を指示すると共に後述するように第１反射ミラー５１を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路９２は、電源としての電池９３の電圧を、当該カメラシステムの各回路ユニットが必要とする電圧に変換して供給するために設けられている。
【００５１】
次に、図４及び図５のタイミングチャートを参照して、本第１の実施形態に於けるカメラの基本的な撮影動作について説明する。
【００５２】
図４は、第１の実施形態に於いてライブビューモードのカメラの動作を説明するタイミングチャートであり、図５は第１の実施形態に於いてファインダビューモードのカメラの動作を説明するタイミングチャートである。尚、図４及び図５のタイミングチャートに於いて、ＡＥは自動露出、ＡＦは自動焦点調節、ＥＸＰは本露光、ＭＵ及びＭＤは第１反射ミラー５１のミラー退避及び復帰、ＳＣはシャッタチャージ、Ｅ１は露出情報、Ｐは画像処理、Ｐ１は撮影用撮像素子６７の画像、Ｄ１は表示用撮像素子６１の画像を、それぞれ表している。
【００５３】
先ず、ライブビューモード時の撮影動作について説明する。  
カメラ１のパワースイッチレバー３３が操作されて電源がオンされると、測光センサ６３及びＡＦセンサユニット７１によって、所定間隔でＡＥ及びＡＦのシーケンスが繰り返し実行される。このとき、カメラ１がファインダビューモードに設定されていたとすると、カメラ本体３０の背面部に設けられた液晶モニタ３６には、露出情報が表示される。そして、所定のタイミングでモードダイヤル３２の操作によってライブビューモードに切り換えられると、表示用撮像素子６１が稼働して、撮像された画像の画像処理が行われて、その画像が液晶モニタ３６に表示されるようになる。以降、これらの処理が繰り返される。
【００５４】
そして、レリーズ釦３１が半押しされることによってファーストレリーズスイッチ（１ＲＳＷ）がオンされると、撮影準備動作に入る。すなわち、撮影レンズ１１が駆動されて合焦動作が行われ、合焦範囲内になったならば合焦表示用ＬＥＤ６４が点灯する。そして、この状態でレリーズ釦３１の全押し操作であるセカンドレリーズスイッチ（２ＲＳＷ）がオンになるまで待機する。
【００５５】
セカンドレリーズスイッチがオンされたならば、第１反射ミラー５１が撮影光路から退避されて本露光による絞り込みが行われる。同時に、撮影用撮像素子６７内の電荷の消去動作（ＦＬＵＳＨ）が行われ、上記本露光が行われた後に取り込んだ画像のデータ読み込み及び画像処理がなされる。また、本露光終了後は、第１反射ミラー５１が撮影光路内に復帰され、シャッタチャージ機構７５によるシャッタチャージが行われる。一方、液晶モニタ３６には、画像処理が施された撮影用撮像素子６７の画像が、所定期間表示される。その後、所定期間が経過すると、再び表示用撮像素子６１で取り込まれた画像が液晶モニタ３６に表示されるようになる。
【００５６】
こうして、例えば連写により４回、撮影用撮像素子６７による撮影が行われると、その度に液晶モニタ３６に表示される画像が、表示用撮像素子６１の画像から撮影用撮像素子６７の画像に切り替わる。そして、ファースト及びセカンドレリーズスイッチがオフにされると、液晶モニタ３６には表示用撮像素子６１による画像が表示される。
【００５７】
次に、図５に基づいて、ファインダビューモード時の撮影動作について説明する。  
先ず、カメラ１のパワースイッチレバー３３が操作されて電源がオンされると、測光センサ６３及びＡＦセンサユニット７１によって、所定間隔でＡＥ及びＡＦのシーケンスが繰り返し実行される。このとき、カメラ本体３０の背面部に設けられた液晶モニタ３６には、露出情報が表示される。そして、所定のタイミングでレリーズ釦３１が半押しされることによってファーストレリーズスイッチがオンされると、撮影準備動作に入る。すなわち、撮影レンズ１１が駆動されて合焦動作が行われ、合焦範囲内になったならば合焦表示用ＬＥＤ６４が点灯する。そして、この状態でレリーズ釦３１の全押しであるセカンドレリーズスイッチ（２ＲＳＷ）がオンになるまで待機する。この撮影準備動作の間は、撮影者は、ファインダ４３を覗いて撮影を行うため、不要な表示はエネルギーの無駄の防止や意識を集中させるために、液晶モニタ３６には何も表示されない。
【００５８】
次いで、セカンドレリーズスイッチがオンされたならば、第１反射ミラー５１が撮影光路から退避されて本露光による絞り込みが行われる。同時に、撮影用撮像素子６７内の電荷を消去する動作が行われ、上記本露光が行われた後に取り込んだ画像のデータ読み込み及び画像処理がなされる。また、本露光終了後は、第１反射ミラー５１が撮影光路内に復帰され、シャッタチャージ機構７５によるシャッタチャージが行われる。一方、液晶モニタ３６には、画像処理が施された撮影用撮像素子６７の画像が、所定期間表示される。その後、次の撮影を行うべく準備動作の間は液晶モニタ３６が消灯され、画像処理後に再び撮影用撮像素子６７の画像が液晶モニタ３６に表示されるようになる。
【００５９】
こうして、例えば４回撮影用撮像素子６７による撮影が行われると、その度に撮影用撮像素子６７の画像が液晶モニタ３６に表示される。尚、ファインダビューモードに於いては、表示用撮像素子６１は稼働しない。
【００６０】
次に、図６を参照して、ファインダ４３で観察される画像と液晶モニタ３６に表示される画像について説明する。  
図６（ａ）はフォーカシングスクリーン５６の１つの例を示した図、（ｂ）は液晶モニタ３６の表示例を示した図である。
【００６１】
図６（ａ）に於いて、フォーカシングスクリーン５６の表面には、ＡＦを行う際の基準点としてＡＦターゲットマーク９５が刻印されている。撮影者は、このようなＡＦターゲットマーク９５が設けられたフォーカシングスクリーン５６上に投影された画像を、ファインダ４３を通して観察する。
【００６２】
一方、カメラ本体３０の背面部の液晶モニタ３６には、図６（ｂ）に示されるように、被写体画像が表示される。図６（ｂ）の左側の画像から、時間の経過と共に順次更新されているものとする。ライブビューモード時に於ける液晶モニタ３６の表示画像、すなわちライブビュー画像９６ａ、９６ｂには、それぞれ上述したＡＦターゲットマーク９５の画像（９７ａ、９７ｂ、９７ｃ）も含まれた状態で表示されている。そして、上述したようにファースト（１ｓｔ）レリーズスイッチがオンされて、撮影レンズが合焦状態になると、合焦表示用ＬＥＤ６４が点灯するので、ライブビュー画像９６ｃ上でもそれに対応するＡＦターゲットマーク、例えば９７ａが点灯表示される。
【００６３】
この状態でセカンド（２ｎｄ）レリーズスイッチがオンされると、液晶モニタ３６上には、実際に撮影された撮影用撮像素子６７の画像９６ｄが表示される。そして、所定期間、画像９６ｄが表示された後、合焦マーク９７ａ〜９７ｃが表示されたライブビュー画像９６ｅが、液晶モニタ３６に表示される。尚、実際に撮影された撮影用撮像素子６７の画像９６ｄが液晶モニタ３６に表示される場合は、図示の如く画像の周囲に枠を表示する等、ライブビュー画像と差別化するようにしてもよい。
【００６４】
このように、実際の撮影画像を表示する際は、ＡＦターゲットマークの無い撮影画像を表示するので、ライブビュー画像と容易に区別することができる。
【００６５】
（第２の実施形態）
上述した第１の実施形態では、コントロールダイヤルにてモードを選択することによってライブビュー画像と撮影画像を切り換えて表示するようにしていた。これに対し、本第２の実施形態では、直接レバーを切り換えてライブビュー画像と撮影画像を切り換えて表示するようにしている。
【００６６】
以下、この第２の実施形態について説明するが、デジタルカメラの基本的な構成については、図１乃至図６に示される第１の実施形態と同じであり、基本的な撮影動作についても同様である。したがって、これらの構成及び動作については、同一の部分には同一の参照番号を付して、その図示及び説明は省略する。
【００６７】
図７は、本発明の第２の実施形態を示すもので、本発明の撮像装置が適用された一眼レフレックスタイプのデジタルカメラの構成を示す外観斜視図である。
【００６８】
図７に於いて、カメラ本体１００の上面には、撮影画像とライブビュー画像とを切り換えるためのファィンダ／ライブビュー（Ｆ／Ｌ）切換レバー１０１が設けられている。このＦ／Ｌ切換レバーを、ファインダビュー時にはカメラ本体３０の上面部に記された「Ｆ」に、ライブビュー時には「Ｌ」の記号に合わせることにより、ファインダ４３を通した画像とライブビュー画像とを切り換えることができる。
【００６９】
図８は、本発明の第２の実施形態に於けるカメラのファインダ光学系の構成を示す斜視図である。
【００７０】
ファインダ光学系１０２は、その一部がハーフミラーで構成された第１反射ミラー５１、ハーフミラーで構成された第２反射ミラー５２、第３反射ミラー５３、軸１０３ａを中心に図示矢印Ｂ1 及びＢ2 方向に回動可能な第４反射ミラー１０３と、フォーカシングスクリーン（スクリーンマット）５６と、接眼レンズ５７とを有して構成される。
【００７１】
また、第２反射ミラー５２の反射面の裏面側には測光センサ６３が配置されている。更に、フォーカシングスクリーン５６に隣接して、撮影情報等を表示するための表示用ＬＣＤ１０４が配設されている。
【００７２】
図９及び図１０は第２の実施形態による第４反射ミラー１０３の駆動機構を示す斜視図で、図９は被写体観察時のアイピースシャッタを開いた状態を示した図、図１０はアイピースシャッタを閉じた状態を示した図である。また、図１１は第２の実施形態に於けるＦ／Ｌモード切換レバー１０１を示した図である。
【００７３】
第４反射ミラー１０３は、アイピース１１５が取り付けられているアイピース枠１０５の近傍の回転軸１０８に回動可能（図８に於いて矢印Ｂ方向）に取り付けられている。この回転軸１０８にはバネ（トグルバネ）１０９が巻回されており、その一端部がアイピース枠１０５上の所定の位置に設けられたバネ止めピン１１０に当てつけられ、他端部が回転軸１０８に設けられたバネ止めピン１１０に引っ掛けられている。
【００７４】
また、アイピース枠１０５の開口部近傍には、第４反射ミラー１０３の開閉状態と共にファインダ／ライブビューのモード切り換えを行うためのＦ／Ｌ検出スイッチ１０６が設けられている。このＦ／Ｌ検出スイッチ１０６は、検出部１０６ａが突起状に設けられている。図１０に示されるように、第４反射ミラー１０３によってＦ／Ｌ検出スイッチ１０６の検出部１０６ａが押し込まれることにより、第４反射ミラー１０３が閉じられたことが検出される。そして、検出部１０６ａが開放されると、第４反射ミラー１０３が開いた状態となることがわかる。
【００７５】
上記バネ１０９は、開く方向（図示矢印Ｂ1 方向）に付勢されているもので、通常は、図９に示されるように、第４反射ミラー１０３がストッパ１１２に当てついた状態となる。このとき、第２反射ミラー５２、第３反射ミラー５３から導かれた光束は、第４反射ミラー１０３で反射されてアイピース１０５に至る。尚、上記ストッパ１１２は、第１反射ミラー５１等が収納されている、図示されないミラーボックスの上部等に固設されている。ストッパ１１２は偏芯して取り付けられており、第４反射ミラー１０３の角度を微調整することができる構造となっている。
【００７６】
また、回転軸１０８の上面に設けられている突起部１１３は、図示されない係合部材を介して、図１１に示されるＦ／Ｌ切換レバー１０１と連動している。すなわち、このＦ／Ｌ切換レバー１０１が図示矢印Ｃ方向に操作されることにより、その操作方向に連動して回転軸１０８が回転し、図８に示される矢印Ｂ方向に第４反射ミラー１０３が回転する。
【００７７】
その結果、図１０に示されるように、第４反射ミラー１０３がアイピース枠１０５に当接した状態が、ライブビュー画像として表示用撮像素子６１に被写体像が取り込まれる状態となる。また、このとき、アイピース１１５からの外部光束は、第４反射ミラー１０３によってアイピース枠１１５内で遮られることにより、カメラ本体３０に入射することがない。加えて、Ｆ／Ｌ検出スイッチ１０６によってアイピース１１５が遮光されたことが、Ｂμｃｏｍ８０に伝達される。
【００７８】
尚、Ｆ／Ｌ切換レバー１０１は、周知のロック機構が設けられるものであってもよいし、また掛止部が設けられるものであってもよい。そして、このＦ／Ｌ切換レバー１０１と回転軸１０８とは、例えばバネ係合されたオーバチャージ機構を有して構成されたものであってもよいし、或いは直結された構成であってもよい。
【００７９】
図１２は、本発明の第２の実施形態に係るカメラのシステム構成を示すブロック図である。
【００８０】
図１２に於いて、フォーカシングスクリーン５６の近傍に配置された表示用ＬＣＤ１０４と、Ｆ／Ｌ検出スイッチ１０６は、Ｂμｃｏｍ８０に接続されている。Ｂμｃｏｍ８０は、Ｆ／Ｌ検出スイッチ１０６の検出状態に応じて表示用ＬＣＤ１０４の点灯状態を制御する。
【００８１】
本第２の実施形態に於けるカメラの基本的な撮影動作については、図４及び図５に示されるタイミングチャートに従って動作する上述した第１の実施形態と同様である。上述した第１の実施形態と異なっているのは、本第２の実施形態では、コントロールダイヤルにてモードを選択することによってライブビュー画像と撮影画像を切り換えていたのを、Ｆ／Ｌモード切換レバー１０１を切り換え、Ｆ／Ｌ検出スイッチ１０６がこれを検出したならばライブビュー画像と撮影画像を切り換えるようにしていることである。
【００８２】
次に、図１３を参照して、第２の実施形態に於いて液晶モニタ３６に表示される画像について説明する。  
図１３（ａ）は撮影用表示素子６１に表示される画像の例を示した図、（ｂ）は液晶モニタ３６に表示される画像の例を示した図である。
【００８３】
図１３（ａ）に於いて、表示用撮像素子６１には、フォーカシングスクリーン５６及び表示用ＬＣＤ１０４に対応して、被写体像表示部１２１と撮影情報表示部１２２から成るファインダ像１２０が表示される。撮影者は、被写体像表示部１２１に表示される被写体像を観察すると共に、撮影情報表示部１２２に表示されるシャッタスピード、露出等、撮影に関する種々の情報を得ることができる。
【００８４】
一方、カメラ本体３０の背面部の液晶モニタ３６には、図１３（ｂ）に示されるように、図６（ａ）に示されるような被写体像表示部１２１及び撮影情報表示部１２２に対応した画像１２３ａ及び１２４ａが表示される。そして、図１３（ｂ）の左側の画像から、時間の経過と共に順次更新されているものとする。ライブビューモード時に於ける液晶モニタ３６の表示画像、すなわちライブビュー画像１２３ａ、１２３ｂは、それぞれ上述した撮影情報の画像１２４ａ、１２４ｂが表示されている。そして、上述したようにファースト（１ｓｔ）レリーズスイッチがオンされると、ライブビュー画像１２３ｃ及び１２４ｃが表示される。
【００８５】
この状態でセカンド（２ｎｄ）レリーズスイッチがオンされると、液晶モニタ３６上に表示されていた撮影情報の画像及びライブビュー画像の周囲に表示されていた撮影情報に代わって、実際に撮影された撮影用撮像素子６７の画像１２５のみが表示される。そして、所定期間、画像１２５が表示された後、ライブビュー画像１２３ｄ及び１２４ｄが、液晶モニタ３６に表示される。
【００８６】
このように、ライブビュー画像を表示する際は被写体像と共に撮影情報を表示し、実際の撮影画像を表示する際は被写体像のみ表示するようにしたので、ライブビュー画像と実際の撮影画像を容易に区別することができる。
【００８７】
以上、本発明の実施形態について説明したが、本発明は上述した実施形態以外にも、本発明の要旨を逸脱しない範囲で種々の変形実施が可能である。
【図面の簡単な説明】
【００８８】
【図１】本発明の第１の実施形態を示すもので、本発明の撮像装置が適用された一眼レフレックスタイプのデジタルカメラの構成を示す外観斜視図である。
【図２】本発明の第１の実施形態に於けるカメラのファインダ光学系の構成を示す斜視図である。
【図３】本発明の第１の実施形態に係るカメラのシステム構成を示すブロック図である。
【図４】第１の実施形態に於いてライブビューモードのカメラの動作を説明するタイミングチャートである。
【図５】第１の実施形態に於いてファインダビューモードのカメラの動作を説明するタイミングチャートである。
【図６】ファインダ４３で観察される画像と液晶モニタ３６に表示される画像について説明するもので、（ａ）はフォーカシングスクリーン５６の１つの例を示した図、（ｂ）は液晶モニタ３６の表示例を示した図である。
【図７】本発明の第２の実施形態を示すもので、本発明の撮像装置が適用された一眼レフレックスタイプのデジタルカメラの構成を示す外観斜視図である。
【図８】本発明の第２の実施形態に於けるカメラのファインダ光学系の構成を示す斜視図である。
【図９】第２の実施形態による第４反射ミラー１０３の駆動機構を示す斜視図で、被写体観察時のアイピースシャッタを開いた状態を示した図である。
【図１０】第２の実施形態による第４反射ミラー１０３の駆動機構を示す斜視図で、図１０はアイピースシャッタを閉じた状態を示した図である。
【図１１】第２の実施形態に於けるＦ／Ｌモード切換レバー１０１を示した図である。
【図１２】本発明の第２の実施形態に係るカメラのシステム構成を示すブロック図である。
【図１３】第２の実施形態に於いて液晶モニタ３６に表示される画像について説明するもので、（ａ）は撮影用表示素子６１に表示される画像の例を示した図、（ｂ）は液晶モニタ３６に表示される画像の例を示した図である。
【符号の説明】
【００８９】
１０…レンズ鏡筒、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…カメラ本体、３１…レリーズ釦、３２…モードダイヤル、３３…パワースイッチレバー、３４…コントロールダイヤル、３６…液晶モニタ、４３…ファィンダ、５０…ファインダ光学系、５１…第１反射ミラー、５２…第２反射ミラー、５３…第３反射ミラー、５４…第４反射ミラー、５６…フォーカシングスクリーン、５７…接眼レンズ６１…表示用撮像素子、６４…合焦表示用ＬＣＤ、６６…シャッタ、６７…撮影用表示素子、７１…ＡＦセンサユニット、７２…ＡＦセンサ駆動回路、７３…ミラー駆動機構、７５…シャッタチャージ機構、７６…シャッタ制御回路、８１…インターフェイス回路、８２…画像処理コントローラ、８３…ＳＤＲＡＭ、８４…ＦｌａｓｈＲｏｍ、８５…不揮発性メモリ（ＥＥＰＲＯＭ）、９０…動作表示用ＬＣＤ、９１…カメラ操作スイッチ（ＳＷ）、９２…電源回路。
【図１】
2006323273.tif 000003
【図２】
2006323273.tif 000004
【図３】
2006323273.tif 000005
【図４】
2006323273.tif 000006
【図５】
2006323273.tif 000007
【図６】
2006323273.tif 000008
【図７】
2006323273.tif 000009
【図８】
2006323273.tif 000010
【図９】
2006323273.tif 000011
【図１０】
2006323273.tif 000012
【図１１】
2006323273.tif 000013
【図１２】
2006323273.tif 000014
【図１３】
2006323273.tif 000015